(57)【要約】【課題】保水性、通気性がよく、踏みつけても容易に復元して固まらず、凸凹や段差のある場所にも敷設できる植物育成盤を提供する。【解決手段】弾性体で、複数の壺部５を、それらの開口縁で複数の小孔を設けた連結部６で、縦方向および横方向の列に配設した台部８を形成し、各壺部５に線状材９を立設し、線状材９の上から線状材９の間に、植物育成用粉体を投入し、植物の種を播き、灌水して、植物を育成することを可能とする植物育成盤を構成する。【選択図】　　　図１
2004049062.tif 000002
【特許請求の範囲】
【請求項１】
弾性体よりなり、複数の壺部を、それらの開口縁で複数の小孔を設けた連結部で、縦方向および横方向の列に配設してなる台部を構成し、
前記各壺部に線状材を立設してなり、
前記線状材の上方から線状材の間に植物育成用粉体を投入し、植物の種子を播き、灌水して、植物を育成することを可能とする植物育成盤。
【請求項２】
線状材が、子束にしてその一方の下部部を接着でまたは溶融して固め、その複数の束の下部部を台部の壺部に挿入し接着または溶融接着して固定してなる請求項１に記載の植物を育成することを可能とする植物育成盤。
【請求項３】
線状材が、小束にしてそれを２つに折り曲げ、その複数をまとめて締結材でくくり、それらの折り曲げ部を台部の壺部に挿入してなる請求項１または２に記載の植物を育成するすることを可能とする植物育成盤。
【請求項４】
弾性体よりなり、複数の壺部を、縦方向および横方向の列に、複数の小孔を設けた連結部で連結した台部と、
複数の線状材の束と、
前記線状材の束を支持手段で支持し前記台部の壺部の内面上縁部に、結合手段により結合可能な弾性の補助部材とよりなり、
前記台部の各壺部に、前記線状材の複数の束を支持した補助部材を結合し、前記線状材の上方から線状材の間に植物育成用粉体を投入し、植物の種子を播き、灌水して、植物を育成することを可能とする植物育成盤。
【請求項５】
補助部材が、Ｍ字状形状、または、コの字状またはＵの字状の両先端を下方に向けた形状の枠部の両先端間をブリッジ部で連結し、前記両先端の一方に前記ブリッジ部の下方に間隔をおいて延伸する支え部を設け、前記枠部の側部で、前記支え部の連結点よりやや上方に、２つのＬ字状よりなる腕部を、Ｌ字の水平部先端を対向させて設け、前記支え部と腕部のそれぞれに、少なくともそれらの先端に、先端方向に下向傾斜面を有する上向きの爪を設けてなり、線状材の束を２つに折り曲げたものの複数を順次その折り曲げの間に前記枠部の上辺およびブリッジ部を入れるように、前記支え部および腕部の先端から押し込み、支え部で支え、腕部で抱えることを可能とすることを特徴とする請求項４に記載の植物育成盤。
【発明の詳細な説明】
【０００１】
【発明の属する技術分野】
この発明は、植物特に芝を育成し、ベランダや家の周囲等を覆うことができる植物育成盤に関するものである。
【０００２】
【従来の技術】
従来、ゴルフ場、サッカー等の競技場、建築物の屋上やテラス等を緑化する場合に植物育成用のマットを使用している。このマットは、植物繊維や合成樹脂繊維を絡ませて押圧してマット状にしたもので、その上に種を播いて灌水し、発芽育成に使用するものである。
このマットの１つとして、特開平４−１４４６１１により開示された植物植生用層状構造体がある。この構造体は合成繊維よりなる植生層、根の通過保持をする保護層および排水層の３層を重ねたものである。
【０００３】
【発明が解決しようとする課題】
上記従来のマット状のものは、灌水しても繊維間に幾分水がとどまるが、ほとんどの水は下方から流出してしまい、保水性が悪い。
また、育成した芝等植物の上を歩行等により体重がかかるとその部分が固まり、通気性、通水性が悪くなり、植物の成育が悪くなる。
【０００４】
この発明は、保水性、通気性が良く、踏みつけても容易に復元して固まらず、持ち運びが容易で、凹凸や段差のある場所にも敷設できる植物育成盤を提供することを目的とする。
【０００５】
【課題を解決するための手段】
弾性体よりなり、複数の壺部を、それらの開口縁で複数の小孔を設けた連結部で、縦方向および横方向の列に配設してなる台部を構成し、前記各壺部に線状材を立設し、
前記線状材の上方から線状材の間に植物育成用粉体を投入し、植物の種子を播き、灌水して、植物を育成することを可能とする。
【０００６】
線状材を、子束にしてその一方の下部部を接着して、または溶融して固め、その複数の束の下部部を台部の壺部に挿入し接着または溶融接着して固定する。
【０００７】
線状材を、小束にしてそれを２つに折り曲げ、その複数をまとめて締結材でくくり、それらの折り曲げ部を台部の壺部に挿入する。
【０００８】
弾性体よりなり、複数の壺部を、縦方向および横方向の列に、複数の小孔を設けた連結部で連結した台部と、
複数の線状材の束と、
前記線状材の束を支持手段で支持し前記台部の壺部の内面上縁部に、結合手段により結合可能な弾性の補助部材とで構成し、
前記台部の各壺部に、前記線状材の複数の束を支持した補助部材を結合し、前記線状材の上方から線状材の間に植物育成用粉体を投入し、植物の種子を播き、灌水して、植物を育成することを可能とする。
【０００９】
補助部材を、Ｍ字状形状、または、コの字状またはＵの字状の両先端を下方に向けた形状の枠部の両先端間をブリッジ部で連結し、前記両先端の一方に前記ブリッジ部の下方に間隔をおいて延伸する支え部を設け、前記枠部の側部で、前記支え部の連結点よりやや上方に、２つのＬ字状よりなる腕部を、Ｌ字の水平部先端を対向させて設け、前記支え部と腕部のそれぞれに、少なくともそれらの先端に、先端方向に下向傾斜面を有する上向きの爪を設けた構成とし、線状材の束を２つに折り曲げたものの複数を順次その折り曲げの間に前記枠部の上辺およびブリッジ部を入れるように、前記支え部および腕部の先端から押し込み、支え部で支え、腕部で抱えることを可能とする。
【００１０】
【発明の実施の形態】
この発明の実施の形態を図面により説明する。
図２および図３に示すとおり、プラスチックやゴムＡ）等の弾性体で、上方向へ拡径した複数の壺部５の開口縁を連結部６で連結して縦方向および横方向の列に配設し、連結部６には複数の孔７を設けた台部８を形成する。
【００１１】
他方、図４に示すように、線状材の束９の一端を接着材で固める。線状材がプラスチック繊維よりなる場合には、溶融して固めてもよい。
そして線状材の束９を複数個固めたものの端部を、台部８の各壺部５内へ挿入する。その際端部を壺部５の底に接着固定するのが好ましい。
図１は台部８の各壺部５内に線状材の束９を立設した植物育成盤１０を示す。
線状材はプラスチック繊維の線材でもよいが、椰子の樹皮、しゅうろの樹皮、杉皮等植物繊維より紐状にしたものが、保水性がよく好ましい。
【００１２】
壺部５の大きさは、限定しないが、高さは約３０ｍｍ、開口の大きさは約３５×２０ｍｍが好ましい。
また、線状材の束９の長さは、限定しないが、壺部５内に立設した場合に開口縁上方に４０〜５０ｍｍが突き出る位が好ましい。
【００１３】
植物育成盤１０の大きさは限定しないが、持ち運びに便利な重量となる大きさにするのが好ましい。
【００１４】
この植物育成盤１０は次のとおり使用する。
すなわち、壺部５に立設した線状材の束９の群の先端面に植物育成粉体を播き、線状材間に入れる。
植物育成粉体は限定しないが、土、腐葉土、植物繊維の粉体等保水性のあるものから選ぶ。椰子の樹皮の粉や杉の皮等の粉を用いると、軽くて植物育成盤１０の移動に便利である。
【００１５】
次いで、上から植物の種を播き、その上に植物育成粉体を播き、灌水する。水は植物育成粉体および線状材を湿し、流下して壺部５内に溜まり、オーバーフローした水は連結部６の孔７より排水される。
植物育成粉体に植物の種を混ぜて植物育成盤１０の上から播いてもよい。
【００１６】
幾日かすると発根、発芽し、根は線状材の間から壺部５内に伸び、芽は線状材の束９の上方へ伸びる。
連結部６の小孔は、前記のとおり通水するとともに、通気して壺部５の外部や連結部６の上方の空気を流通させ、植物のむれや根腐されを防ぐ。
【００１７】
植物が所望の状態に生長すれば、植物育成盤１０を所望の場所へ移動する。
台部８は弾性体よりなり可撓性であるので、植物育成盤１０を高低のある場所や段部へも載置できる。芝等を育成した複数の植物育成盤１０をベランダや階段等に並べて載置し、芝等で覆うことができる。
【００１８】
線状材の束９の代わりに、図５に示すように、複数の線状材の中間を縄のように撚り、撚り部分で２つに折り曲げて形成した線状材の束９ａを用いてもよい。
【００１９】
植物育成盤１０の壺部５への線状材の束９、９ａの立設をし易くするため、線状材が固まって偏らないようにするため、および、植物育成盤１０の芝等の上から踏みつけても、芝の根が固まらないようにするために、図６に示すような補助部材１１を用いるのが好ましい。
【００２０】
補助部材１１は、弾性体で、中央に大きな孔１２を設けた枠１３の両側のいずれかの場所に紐を通すことのできる孔１４を設けたものである。補助部材１１の幅は、壺部５に嵌入できる幅とする。
【００２１】
そして、図８に示すように、複数の線状材の束９または９ａ、すなわちそれらの下部が壺部５内に挿入しうる数の線状材の束９をまとめ、それら線状材の束９の列の長手中心部へ補助部材１１を挿入し、補助部材１１の両側の孔１５に紐、針金等の締結材１７を通して全体の線状材の束９の腰部を締結する。
そしてその締結した線状材の束９の下部を壺部５内に挿入する。
順次各壺部５に締結した線状材の束９の下部を挿入し、植物育成盤１０が構成される。
線状材の束９の下部を壺部５に接着または溶着してもよい。
【００２２】
他方、図７に示すように、台部８の壺部５の開口縁部内面の対向する２面に、枠１３の両側部１４の中間部が嵌合し、枠を係止できる切り欠き１６を設け、補助部材１１の側部１４を壺部５の切り欠き１６に嵌合して固定してもよい。
補助部材１１を壺部５に固定することにより、植物育成盤１０が構成される。
【００２３】
補助部材１１の孔１２の代わりに複数の小孔を設けてもよい。
補助部材１１は、孔１２または複数の小孔を設けない板状のものでもよい。
ただし、孔１２や小孔を設ければ、強力性、通気性、通水性に優れて好ましい。
【００２４】
補助部材１１の側部１４に孔１５を設けないで、両側部に接着または一体成形で紐状の締結材を設け、それらの先端を接着するか、または先端に係止手段を設けて双方の先端を係止できるようにしてもよい。
【００２５】
図９に示す補助部材１８は、中央に孔１９を設けるか、または複数の小孔を設けた枠部２０の両側下端に、両側を延長しその先端を相対向する状態に曲げた腕部２１、２１を設けたものである。
補助部材１８は、中央の孔１９または小孔を設けないものでもよい。
【００２６】
図１０は、この補助部材１８の使用状態を示すものである。
複数の線状材の束９、９ａを、各枠部２０の上枠と下枠を挟んで、枠部２０の両側の孔２２に通した締結材１７でくくる。
枠部２０の両側に孔２２を設けないで、複数の線状材の束９、９ａを締結材１７でくくってもよい。この場合枠部２０の孔１９内でくくるのが好ましい。
【００２７】
次いで、上記のとおり補助部材１８を挟んで複数の線状材の束９、９ａを締結材１７でくくったものを腕部２１の方から順次壺部５内へ挿入し、壺部５の切り欠き１６へ枠部２０の両側部を嵌合して係止することにより植物育成盤１０を形成する。
この際腕部２１は弾性により壺部５の内部の形状になじみ、また両腕部で複数の線状材の束９、９ａの下端部を抱えて締め付ける。
【００２８】
図１１は他の実施の形態の補助部材２３を示すもので、（Ａ）はその正面図、（Ｂ）は平面図、（Ｃ）は右側面図である。
【００２９】
補助部材２３は、弾性体よりなり、Ｍの字状の枠部２４の両先端を下方向に向け、その両先端をブリッジ部２５で連結し、枠部２４の両先端に、外方向に、すなわち互いに反対方向に突起２６、２６を設け、枠部２４の両先端のうち一方に連続し、ブリッジ部２５の下方へ間隔をおいて伸びる支え部２７を設け、また、支え部２７の基部が連結している枠部２４の先端の少し上方に２つのＬ字状の腕部２８のＬ字の水平部先端を対向させてＬ字の垂直部を支え部２７の先端方向に向け、Ｌ字の水平部が支え部２７とほぼ平行の状態で設ける。
【００３０】
腕部２８の先端は枠部２４より外方向に突出するのが好ましい。
腕部２８、２８は、それらのＬ字の水平端を同じ高さの所で対向してもよいが、補助部材２３を一体成形するためには図に示すように少し高さを変えるのが好ましい。
【００３１】
支え部２７および腕部２８の先端には先端方向へ下向傾斜する爪２９を上向きに設ける。傾斜面の反対側は支え部２７および腕部２８に対して略直角にする。支え部２７および腕部２８の先端以外にも間隔をおいて更に１または複数の爪２９を設けるのが好ましい。
【００３２】
ブリッジ部２５は、枠部２４の両先端部に指等で押して間隔を狭めることができるように、図に示すように緩やかな曲線状にするか、または図示してないが蛇行状態等バネ式の形状とする。
【００３３】
一方、壺部５の対向する縁部には、図１２に示すように、補助部材２３の突起２６が嵌入できる凹部４０を設ける。
図１３は、補助部材２３の突起２６を壺部５の凹部に嵌入させて、補助部材２３を壺部５に係止した状態の説明図である。
【００３４】
補助部材２３を用いて線状材を壺部５に立設する要領を図１４により説明する。すなわち、線状材の束９の線状材を２つに分けて補助部材２３のブリッジ部２５と枠部２４の上辺部を挟んで束９の下部を支え部２７の先端と腕部２８、２８の先端間から押し込む。この際支え部２７の爪２９の先端方向の面は先端方向へ傾斜しており、かつ、支え部２７は弾力があるので、束９の下部が支え部２７の先端を下方へ押し下げるので、束９の下端部は容易に爪２９を通過して押し込まれる。束９の下端部が爪２９を通過すると支え部２７の先端は上方へ復帰しする。爪２９の傾斜面の反対側の面は略直角であるので、束９の後退を阻止する。
上記の要領で所定の数の束９を押し込む。腕部２８、２８は、押し込まれた複数の束９を抱えて支持する。
【００３５】
複数の線状材の束を支持する補助部材２３の枠部２４の両側部を内方向に指先で押して両側部の爪２９、２９の間隔を狭めて爪２９、２９を壺部５の凹部３０、３０に対向させて指先の圧力を解放すると爪２９、２９の間隔が拡まり、爪２９、２９が凹部３０、３０に嵌入し、枠部２４の両側部の弾力で爪２９、２９が凹部３０、３０を押し、補助部材２３が壺部５に強固に係止する。図１４の（Ｂ）はその係止状態を示すものである。
【００３６】
束９の代わりに線状材の小束を２つに折り曲げて、例えば束９ａのようにした線状材の束を用いるのが好ましい。
この場合も、折り曲げた２つの部分の間にブリッジ部２５および枠部２４の上辺部を入れる。複数の束を押し込んで支え部２７と腕部２８とで束を支持する要領は前記要領と同じである。
【００３７】
枠部２４はコの字状またはＵ字状であってもよい。
枠部２４の上辺は、図１５に示すように、平面視で屈折した枠２４ａであってもよい。この様な屈折により、補助部材２３を壺部５に結合する際に、枠部２４ａの両側下端間の間隔を狭め易い。
【００３８】
【発明の効果】
この発明に係る植物育成盤は、従来のものに比べ製造が容易でコストがかからない。
また、台部に壺部があるので、根が伸びやすく、水が溜まり盤をコンクリート等の上に並べても焼きつくことがなく根が傷まず、また、保水性も優れている。台部および補助部材が弾性体であるので、植物育成盤を踏んでも復元力があり、根が固まらず、植物の育成が阻害されることがない。
線状材の束の中に補助部材を挟んでいるので線状材がかたよることがない。
複数の線状部材の束を締結材でくくっているか、または腕部で抱えているので、線状部材がほつれて崩れることがない。
台部が弾性体であるので、多少高低差のある場所にも並べられる。
壺部の連結部に小孔がもうけられているので、通水通気がよく、植物のむれや根腐されが生ずることなく、植物がよく生長する。
植物を育成する前に所望の場所に植物育成盤を並べて植物を育成してもよく、または、植物育成盤が軽く持ち運びが容易であるので、植物を育成してから、所望の場所に移動して並べてもよい。
【図面の簡単な説明】
【図１】この発明に係る植物育成盤の要部斜視図である。
【図２】台部の要部斜視図である。
【図３】台部の要部断面図である。
【図４】線状材の束の斜視図である。
【図５】他の実施の形態の線状材の束の斜視図である。
【図６】補強部材の斜視図である。
【図７】他の実施の形態の台部の要部斜視図である。
【図８】補強部材を挟んで複数の線状材の束を締結材でくくったものの斜視図である。
【図９】他の実施の形態の補強部材の斜視図である。
【図１０】他の実施の形態の補強部材を挟んで複数の線状材の束を締結材でくくったものの斜視図である。
【図１１】他の実施の形態の補助部材の、（Ａ）は正面図、（Ｂ）は平面図、（Ｃ）は右側面図である。
【図１２】他の実施の形態の壺部の、（Ａ）は平面図、（Ｂ）は断面図である。
【図１３】補助部材と壺部の結合の説明図である。
【図１４】（Ａ）は　補助部材に複数の線状材の束を取付けた状態の説明図、（Ｂ）は線状材を取付けた補助部材を壺部に結合した状態の説明図である。
【図１５】他の実施の形態の補助部材の平面図である。
【符号の説明】
１　植物育成盤
２　縦紐
３　立毛紐
４　横紐
５　壺部
６　連結部
７　孔
８　台
９　線状材の束
１０　植物育成盤
１１　補助部材
１２　孔
１３　枠
１４　側部
１５　孔
１６　切り欠き
１７　締結材
１８　補強部材
１９　孔
２０　枠部
２１　腕部
２２　孔
２３　補助部材
２４　枠部
２５　ブリッジ部
２６　突起
２７　支え部
２８　腕部
２９　爪
３０　凹部
【図１】
2004049062.tif 000003
【図２】
2004049062.tif 000004
【図３】
2004049062.tif 000005
【図４】
2004049062.tif 000006
【図５】
2004049062.tif 000007
【図６】
2004049062.tif 000008
【図７】
2004049062.tif 000009
【図８】
2004049062.tif 000010
【図９】
2004049062.tif 000011
【図１０】
2004049062.tif 000012
【図１１】
2004049062.tif 000013
【図１２】
2004049062.tif 000014
【図１３】
2004049062.tif 000015
【図１４】
2004049062.tif 000016
【図１５】
2004049062.tif 000017